(57)【要約】【課題】番号ポータビリティの完了後に、ホームゲートウェイ装置内の回線の接続先を公衆電話回線網からＶｏＩＰ網に自動的に切り替える。【解決手段】電話機１１０を公衆電話回線網１２０側とＶｏＩＰ網１３０側とのいずれかに接続する切り替え部１と、あらかじめ定められた特別番号をＶｏＩＰ網１３０を経由してＳＩＰサーバ１４０に発信し、発信に対する応答を受信する特別番号通信部２とを備え、特別番号通信部２は、番号ポータビリティを導入する場合に、番号ポータビリティを導入するための処理が完了していることを示す応答をＳＩＰサーバ１４０から受信するまで定期的に特別番号を発信し、切り替え部１は、番号ポータビリティを導入するための処理が完了していることを示す応答を特別番号通信部２が受信した場合には、電話機１１０が公衆電話回線網１２０側に接続されている状態からＶｏＩＰ網１３０側に接続されている状態に切り替える。【選択図】図５
2011030156.tif 000002
【特許請求の範囲】
【請求項１】
電話機を、公衆電話回線網とＶｏＩＰ網とのいずれかを介して通話可能にするホームゲートウェイ装置であって、
電話機を公衆電話回線網側とＶｏＩＰ網側とのいずれかに接続する切り替え部と、
あらかじめ定められた特別番号をＶｏＩＰ網を経由してＳＩＰサーバに発信し、前記ＳＩＰサーバから発信に対する応答を受信する特別番号通信部とを備え、
前記特別番号通信部は、固定電話サービスで使用していた電話番号をＩＰ電話サービスで使用可能にする番号ポータビリティを導入する場合に、番号ポータビリティを導入するための処理が完了していることを示す応答を前記ＳＩＰサーバから受信するまで定期的に特別番号を発信し、
前記切り替え部は、番号ポータビリティを導入するための処理が完了していることを示す応答を前記特別番号通信部が前記ＳＩＰサーバから受信した場合には、電話機が前記公衆電話回線網側に接続されている状態からＶｏＩＰ網側に接続されている状態に切り替える
ことを特徴とするホームゲートウェイ装置。
【請求項２】
公衆電話回線網からの給電状況を検出する給電検出手段を備え、
特別番号通信部は、前記給電検出手段が、前記公衆電話回線網から給電されていた状態から給電が停止した状態になったと検出した場合に、特別番号を発信する
請求項１記載のホームゲートウェイ装置。
【請求項３】
特別番号通信部は、指定された時間帯に、番号ポータビリティを導入するための処理が完了していないことを示す応答を受信した場合には、その後の特別番号を再発信する間隔を短くする
請求項１または請求項２記載のホームゲートウェイ装置。
【請求項４】
切り替え部は、特別番号通信部が番号ポータビリティを導入するための処理が完了していることを示す応答を受信する前にＶｏＩＰ網から着信を受けた場合には、電話機が前記公衆電話回線網側に接続されている状態からＶｏＩＰ網側に接続されている状態に切り替える
請求項１から請求項３のうちのいずれか１項に記載のホームゲートウェイ装置。
【請求項５】
特別番号通信部は、外部からの指令に応じて、直ちに特別番号を発信する
請求項１から請求項４のうちのいずれか１項に記載のホームゲートウェイ装置。
【請求項６】
電話機を、公衆電話回線網とＶｏＩＰ網とのいずれかを介して通話可能にするホームゲートウェイ装置を用いた番号ポータビリティ制御方法であって、
あらかじめ定められた特別番号をＶｏＩＰ網を経由してＳＩＰサーバに発信し、前記ＳＩＰサーバから発信に対する応答を受信するステップと、
電話機を公衆電話回線網側とＶｏＩＰ網側とのいずれかに接続するステップとを備え、
固定電話サービスで使用していた電話番号をＩＰ電話サービスで使用可能にする番号ポータビリティを導入する場合に、
番号ポータビリティを導入するための処理が完了していることを示す応答を前記ＳＩＰサーバから受信するまで定期的に特別番号を発信し、
番号ポータビリティを導入するための処理が完了していることを示す応答を前記ＳＩＰサーバから受信した場合には、電話機が前記公衆電話回線網側に接続されている状態からＶｏＩＰ網側に接続されている状態に切り替える
ことを特徴とする番号ポータビリティ制御方法。
【請求項７】
ホームゲートウェイ装置で公衆電話回線網から給電されていた状態から給電が停止した状態になったと検出した場合に、特別番号を発信する
請求項６記載の番号ポータビリティ制御方法。
【発明の詳細な説明】
【技術分野】
【０００１】
本発明は、番号ポータビリティを導入するための回線事業者における処理の進捗状況に基づいて、ホームゲートウェイ装置内の電話発信に使用する回線接続を公衆電話回線網からＶｏＩＰ網に自動的に切り替えるホームゲートウェイ装置および番号ポータビリティ制御方法に関する。
【背景技術】
【０００２】
電話サービスには、公衆電話回線網（ＰＳＴＮ：Public Switched Telephone Networks）を利用する電話サービス（固定電話）や、ＶｏＩＰ（Voice over Internet Protocol）網を利用する電話サービス（ＩＰ電話）がある。
【０００３】
ユーザが、利用する電話サービスを、番号ポータビリティを伴って固定電話からＩＰ電話に変更したいと希望する場合には、番号ポータビリティを実施するための処理がされる。なお、以下、「番号ポータビリティ」は、特にことわらない限り、回線事業者を変更しても同一電話番号を使用できる状態にするための処理を意味する。ＶｏＩＰによる番号ポータビリティを実施することによって、ＰＳＴＮの中継交換機は、対象の電話番号への着信をＰＳＴＮに繋ぐか、ＶｏＩＰ網に繋ぐかを切り替え、ユーザは、固定電話で使用していた電話番号を回線切り替え後のＩＰ電話で使用することができる。
【０００４】
しかし、ＶｏＩＰによる番号ポータビリティを伴ってＰＳＴＮ回線からＶｏＩＰ回線に切り替える場合には、ＰＳＴＮ側の局設備（固定電話側）における番号ポータビリティが完了したあとに、ユーザが、またはＩＰ電話の事業者であるＶｏＩＰ事業者がユーザ宅に出向いて、電話機をＩＰ回線側に接続しなければならない。その場合、例えば、電話機の接続先をＰＳＴＮ側からホームゲートウェイ装置に変更する。また、ユーザにＩＰ回線側への接続を行わせる場合には、ＶｏＩＰ事業者は、固定電話側における処理が完了したことをユーザに通知しなければならない。
【０００５】
また、遠隔操作によってホームゲートウェイ装置に自動設定を行うことができる場合には、ＶｏＩＰ事業者は、固定電話側における回線の切り替えが行われたかを定期的に確認してから、ホームゲートウェイ装置に所定の設定をダウンロードさせる。これらの作業は、ユーザにもＶｏＩＰ事業者にも手間である。
【０００６】
特許文献１には、固定電話機を接続するゲートウェイ装置が記載されている。特許文献１に記載されたデートウェイ装置は、インターネットやＶｏＩＰ網・ＰＳＴＮなどにも接続されて、宅内ネットワークを制御する。
【０００７】
特許文献２には、電気通信システムにおける番号ポータビリティ・サービス方法が記載されている。特許文献２に記載された番号ポータビリティ・サービス方法では、第１の局と第２の局との間の通信を行う際に、相手側の局が番号ポータビリティが実施された局であるか否かを問い合わせ、番号ポータビリティが実施された局である場合には、補足電気通信サービスを使用する。
【先行技術文献】
【特許文献】
【０００８】
【特許文献１】特開２００８−２８６００号公報（図１、段落００３４−００３５）
【特許文献２】特表２００３−５０３９７８号公報（図３、段落００１７、段落００２１）
【発明の概要】
【発明が解決しようとする課題】
【０００９】
しかし、特許文献１に記載されたゲートウェイ装置は、ＰＳＴＮにもＶｏＩＰ網にも接続することができるが、番号ポータビリティの実施による回線の切り替えを行うゲートウェイ装置ではない。
【００１０】
また、特許文献２には、番号ポータビリティ・サービス方法が記載されているが、そのサービス方法を実施できるようにするための処理に関する記載はない。
【００１１】
本発明は、番号ポータビリティが実施されるとき（番号ポータビリティを導入するための処理が行われるとき）に、番号ポータビリティの完了後に、ホームゲートウェイ装置内の回線の接続先を公衆電話回線網からＶｏＩＰ網に自動的に切り替えるホームゲートウェイ装置および番号ポータビリティ制御方法を提供することを目的とする。
【課題を解決するための手段】
【００１２】
本発明によるホームゲートウェイ装置は、電話機を、公衆電話回線網とＶｏＩＰ網とのいずれかを介して通話可能にするホームゲートウェイ装置であって、電話機を公衆電話回線網側とＶｏＩＰ網側とのいずれかに接続する切り替え部と、あらかじめ定められた特別番号をＶｏＩＰ網を経由してＳＩＰサーバに発信し、ＳＩＰサーバから発信に対する応答を受信する特別番号通信部とを備え、特別番号通信部は、固定電話サービスで使用していた電話番号をＩＰ電話サービスで使用可能にする番号ポータビリティを導入する場合に、番号ポータビリティを導入するための処理が完了していることを示す応答をＳＩＰサーバから受信するまで定期的に特別番号を発信し、切り替え部は、番号ポータビリティを導入するための処理が完了していることを示す応答を特別番号通信部がＳＩＰサーバから受信した場合には、電話機が公衆電話回線網側に接続されている状態からＶｏＩＰ網側に接続されている状態に切り替えることを特徴とする。
【００１３】
本発明による番号ポータビリティ制御方法は、電話機を、公衆電話回線網とＶｏＩＰ網とのいずれかを介して通話可能にするホームゲートウェイ装置を用いた番号ポータビリティ制御方法であって、あらかじめ定められた特別番号をＶｏＩＰ網を経由してＳＩＰサーバに発信し、ＳＩＰサーバから発信に対する応答を受信するステップと、電話機を公衆電話回線網側とＶｏＩＰ網側とのいずれかに接続するステップとを備え、固定電話サービスで使用していた電話番号をＩＰ電話サービスで使用可能にする番号ポータビリティを導入する場合に、番号ポータビリティを導入するための処理が完了していることを示す応答をＳＩＰサーバから受信するまで定期的に特別番号を発信し、番号ポータビリティを導入するための処理が完了していることを示す応答をＳＩＰサーバから受信した場合には、電話機が公衆電話回線網側に接続されている状態からＶｏＩＰ網側に接続されている状態に切り替えることを特徴とする。
【発明の効果】
【００１４】
本発明によれば、ホームゲートウェイ装置が特別番号発信をしてその応答により番号ポータビリティの固定電話側の回線切り替えの処理の進捗状況を判断し、ホームゲートウェイ装置内の回線の接続先を公衆電話回線網からＶｏＩＰ網に自動的に切り替えることができる。
【図面の簡単な説明】
【００１５】
【図１】本発明による第１の実施形態のホームゲートウェイ装置を用いた番号ポータビリティ制御システムの構成を示すブロック図である。
【図２】図１に示すホームゲートウェイ装置の構成を示すブロック図である。
【図３】図１に示す番号ポータビリティ制御システムにおける動作を示すフローチャートである。
【図４】スイッチ制御レジスタテーブルの一例を示す説明図である。
【図５】本発明によるホームゲートウェイ装置の主要部を示すブロック図である。
【発明を実施するための形態】
【００１６】
実施形態１．
図１は、本発明による第１の実施形態（実施形態１）のホームゲートウェイ装置を用いた番号ポータビリティ制御システムの構成を示すブロック図である。図２は、図１に示すホームゲートウェイ装置の構成を示すブロック図である。図１および図２を参照して、本発明の第１の実施形態のホームゲートウェイ装置および番号ポータビリティ制御システムの構成を説明する。
【００１７】
図１に示す番号ポータビリティ制御システムは、ホームゲートウェイ装置１０、番号ポータビリティ管理データベース２０、ＳＩＰサーバ３０、電話機４０、インターネット回線５０および公衆電話回線６０を備える。
【００１８】
電話機４０、インターネット回線５０および公衆電話回線６０が、ホームゲートウェイ装置１０に接続される。ホームゲートウェイ装置１０に接続された電話機４０は、ホームゲートウェイ装置１０を介して、ＰＳＴＮまたはＶｏＩＰ網のどちらかで通話が可能になる。固定電話で通話を行う際には、公衆電話回線６０を通じてＰＳＴＮ（図示せず）を使用する。ＩＰ電話で通話を行う際には、インターネット回線５０を通じてＶｏＩＰ網（図示せず）を使用する。
【００１９】
また、ホームゲートウェイ装置１０は、インターネット回線５０を介して、ＳＩＰサーバ３０と通信を行う。ＳＩＰサーバ３０は、番号ポータビリティ管理データベース２０に格納されている番号ポータビリティの処理の進捗状況を定期的に確認する。番号ポータビリティ管理データベース２０は、ホームゲートウェイ装置ごとの番号ポータビリティの処理の進捗状況を示す情報を格納している。番号ポータビリティの処理の進捗状況は、ＰＳＴＮの中継交換機が対象の電話番号への発信をＰＳＴＮに繋ぐか、ＶｏＩＰ網に繋ぐかを示す。中継交換機でＰＳＴＮに繋いでいた発信をＶｏＩＰ網に繋ぐように切り替える作業を、固定電話側の回線切り替え作業と呼ぶ。
【００２０】
ホームゲートウェイ装置１０は、電話回線インタフェース１１、ＷＡＮインタフェース１２、電話機インタフェース１３、スイッチ回路１４、音声コーデック１５およびＣＰＵ１６を含む。
【００２１】
電話回線インタフェース１１には、公衆電話回線６０が接続される。電話回線インタフェース１１は、固定電話の通話時に、ＰＳＴＮとの間でアナログ音声データの送受信を行う。ＷＡＮインタフェース１２は、インターネット回線５０に接続される。ＷＡＮインタフェース１２は、ＩＰ電話の通話時に、ＶｏＩＰ網との間でＩＰパケットの送受信を行う。電話機インタフェース１３は、電話機４０に接続し、電話機４０との間でアナログ音声データの送受信を行う。
【００２２】
スイッチ回路１４は、電話機インタフェース１３を、電話回線インタフェース１１側、またはＷＡＮインタフェース１２側に接続する。スイッチ回路１４が電話機インタフェース１３をＷＡＮインタフェース１２側に接続する場合には、電話機インタフェース１３は音声コーデック１５に接続され、音声コーデック１５からＣＰＵ１６を介してＷＡＮインタフェース１２に接続される。
【００２３】
音声コーデック１５は、アナログ音声データとディジタル音声データとの間変換とともにディジタル音声データの圧縮および伸長を行う。音声コーデック１５は、ＷＡＮインタフェース１２が受信したＩＰパケットに含まれるディジタル音声データをアナログ音声データに変換し、電話機インタフェース１１が電話機４０から受信したアナログ音声データをディジタル音声データに変換する。
【００２４】
ＣＰＵ１６は、ホームゲートウェイ装置１０全体を制御する。例えば、ＣＰＵ１６は、ＷＡＮインタフェース１２が受信したＩＰパケットを解析してメッセージを確認したり、スイッチ回路１４を制御してスイッチを切り替えたりする。ＣＰＵ１６は、例えば、プログラムに従って制御される。
【００２５】
図３は、図１に示す番号ポータビリティ制御システムにおける番号ポータビリティの状態確認等の動作を示すフローチャートである。図３を参照して、番号ポータビリティが実施される際の、ホームゲートウェイ装置内の回線を切り替える動作を説明する。
【００２６】
ホームゲートウェイ装置１０の電源がＯＮになると、ＣＰＵ１６は、番号ポータビリティの実施状況の確認を開始する（ステップＳ１１）。番号ポータビリティの実施状況の確認は、ホームゲートウェイ装置１０における所定の操作によって開始されてもよい。
【００２７】
ステップＳ１１において番号ポータビリティの実行が開始されると、ホームゲートウェイ装置１０のＣＰＵ１６は、ＷＡＮインタフェース１２を介してＶｏＩＰ網に特別番号でパケット”100 invite”を発信する（ステップＳ１２）。特別番号とは、ＶｏＩＰ事業者が番号ポータビリティの確認用に割り当てた番号であって、通常の電話番号体系とは異なる系の番号である。ホームゲートウェイ装置１０から発信された特別番号は、ＶｏＩＰ網を介してＳＩＰサーバ３０に到達される。
【００２８】
ＳＩＰサーバ３０は、パケットを受信すると（ステップＳ１３）、パケット”100 invite”のＳＩＰ部に含まれるヘッダ”message header”の”to”の内容を確認して、パケットの宛先が特別番号で、番号ポータビリティの確認のために送信されたメッセージであることを確認する。次に、ＳＩＰサーバ３０は、パケット”100 invite”のＳＩＰ部に含まれるヘッダ”message header”の”from”の内容を確認して、ホームゲートウェイ装置１０に付与されているＶｏＩＰ端末としての電話番号を読み取る。ＳＩＰサーバ３０は、読み取った電話番号からパケット”100 invite”の発信元（ホームゲートウェイ装置１０）を特定することができる。ＳＩＰサーバ３０は、番号ポータビリティ管理データベース２０を参照して、発信元のホームゲートウェイ装置１０について、固定電話側の回線切り替えの作業が完了しているか否かを確認する（ステップＳ１４）。
【００２９】
ステップＳ１４において固定電話側の回線切り替えの作業が完了していない場合には、ＳＩＰサーバ３０は、特別番号の発信を行ったホームゲートウェイ装置１０に対して、パケット”404 Not found ”の応答を返す（ステップＳ１５）。ホームゲートウェイ装置１０がパケット”404 Not found ”を受信すると、所定時間経過後に、ＣＰＵ１６が、再度特別発信のパケット”100 invite”を発信する（ステップＳ１２）。
【００３０】
なお、ステップＳ１５において、固定電話側の回線切り替えの作業が完了していない場合には、ＳＩＰサーバ３０は、特別番号の発信をしたホームゲートウェイ装置１０に対して、パケット”404 Not found ”の応答を返す代わりに、別の応答パケットとして、例えばパケット”380 Alternative Service ”の応答を返してもよい。ホームゲートウェイ装置１０がこのようなパケットを受信すると、所定時間経過後に、ＣＰＵ１６が、再度特別発信のパケット”100 invite”を発信する（ステップＳ１２）。
【００３１】
ステップＳ１４において固定電話側の回線切り替えの作業が完了している場合には、ＳＩＰサーバ３０は、特別番号の発信を行ったホームゲートウェイ装置１０に対して、応答パケット”200 OK”を返す（ステップＳ１６）。ホームゲートウェイ装置１０が応答パケット”200 OK”を受信すると、ＣＰＵ１６は、スイッチ制御レジスタテーブルの装置内部レジスタに”１”をセットする（ステップＳ１７）。スイッチ制御レジスタテーブルは、記憶部（図示せず）に格納されている。
【００３２】
図４は、スイッチ制御レジスタテーブルの一例を示す説明図である。図４に示す番号ポータビリティ状態は、固定電話側の回線切り替えの作業状況を示す。図４に示す番号ポータビリティ状態が未完了の場合には、装置内部レジスタの値は”０”になる。このとき、スイッチ回路１４は、電話機インタフェース１３をＰＳＴＮの電話回線インタフェース１１側に接続する。図４に示す番号ポータビリティ状態が完了の場合には、装置内部レジスタの値は”１”になる。
【００３３】
ステップＳ１７においてスイッチ制御レジスタテーブルの装置内部レジスタに”１”がセットされると、ＣＰＵ１６は、スイッチ回路１４を制御して、電話回線インタフェース１１側に接続されていた電話機インタフェース１３を、インターネット回線５０のＶｏＩＰ網に接続するＷＡＮインタフェース１２側に接続するようにスイッチを切り替える（ステップＳ１８）。電話機インタフェース１３がＷＡＮインタフェース１２側に接続されると、ユーザは、固定電話で使用していた電話番号でＩＰ電話を使用することができるようになる。
【００３４】
このようなホームゲートウェイ装置では、ホームゲートウェイ装置１０が特別番号に発信を行って固定電話側の回線切り替えの作業状況を確認し、作業完了時には自動的にスイッチ回路１４を切り替えて電話機インタフェース１３をＷＡＮインタフェース１２側に接続するので、ユーザまたはＶｏＩＰ事業者が手動で回線切り替えの設定を行う手間がなくなる。また、ホームゲートウェイ装置１０は、固定電話側の回線切り替えの作業状況が最初の確認では未完了であった場合にも、作業が完了するまで定期的に特別番号に発信を行うので、ユーザやＶｏＩＰ事業者の手間をかけずに済む。総じて、ユーザおよびＶｏＩＰ事業者は、ＶｏＩＰによる番号ポータビリティの導入処理を簡素化することができる。
【００３５】
また、ホームゲートウェイ装置１０は、ステップＳ１５においてＳＩＰサーバ３０からパケット”404 Not found ”やパケット”380 Alternative Service ”の応答を受信した場合に、一定時間経過ごとに定期的に特別番号に再発信を繰り返すのではなく、再発信の間隔を変更できるようにしてもよい。例えば、固定電話側の回線切り替えの作業完了予定のタイミングがあらかじめ分かっている場合には、作業完了予定のタイミングの付近では再発信の間隔を通常の間隔よりも短くする。再発信の間隔は、ＶｏＩＰ事業者が、遠隔操作によってホームゲートウェイ装置１０に設定してもよい。
【００３６】
実施形態２．
本発明による第２の実施形態（実施形態２）のホームゲートウェイ装置を用いた番号ポータビリティ制御システムの構成は、ホームゲートウェイ装置１０が給電検出手段を有する以外は、図１に示す番号ポータビリティ制御システムの構成と同じである。給電検出手段は、公衆電話回線６０の検出機能を備え、公衆電話回線６０側の給電状況を検出する。
【００３７】
ＶｏＩＰによる番号ポータビリティを実施する場合に、固定電話側で回線切り替えの作業が完了すると、公衆電話回線６０側からの給電が停止されることがある。したがって、給電検出手段が、電話回線インタフェース１１に対して公衆電話回線６０側から給電されていた状態から給電が停止した状態になったことを検出した場合には、固定電話側で回線切り替えの作業が完了したと考えることができる。
【００３８】
このとき、ＣＰＵ１６は、ＷＡＮインタフェース１２からＶｏＩＰ網を利用して、特別番号にパケット”100 invite”を発信する。ＣＰＵ１６が特別番号に発信を行ってからの動作は、第１の実施形態のホームゲートウェイ装置における特別番号の発信以降の動作（例えば、図３のステップＳ１２〜Ｓ１８における動作に相当）と同じである。
【００３９】
このようなホームゲートウェイ装置では、公衆電話回線６０側からの給電停止を検出するとすぐに特別番号への発信を行うので、速やかに番号ポータビリティの実施における固定電話側の回線切り替えの作業状況を確認することができる。
【００４０】
なお、第１または第２の実施形態のホームゲートウェイ装置が、ホームゲートウェイ装置１０が特別番号の発信を即時に行うことが可能な特別番号発信手段を有してもよい。例えば、ユーザまたはＶｏＩＰ事業者による所定のボタン押下などによって、特別番号発信手段が特別番号を発信する。遠隔操作によって特別番号の発信タイミングを設定してもよい。このようなホームゲートウェイ装置では、例えば、固定電話側の回線切り替えの作業完了のタイミングが明らかな場合に、そのタイミングで即時に特別番号を発信して電話回線を速やかにＩＰ電話に接続することができる。
【００４１】
また、ＶｏＩＰによる番号ポータビリティの実施中、固定電話側の回線切り替えの作業は完了したがホームゲートウェイ装置１０側の回線切り替えの作業が終わっていない状況において、電話機４０から電話を発信した場合には、電話回線インタフェース１１から固定電話の公衆電話回線６０経由で発信しようとするが、電話機４０に対して電話が発信された場合には、ＩＰ電話のＶｏＩＰ網経由でホームゲートウェイ装置１０のＷＡＮインタフェース１２に着信する。したがって、第１または第２の実施形態のホームゲートウェイ装置１０において、固定電話側の回線切り替えの作業完了を判断する前にＷＡＮインタフェース１２がＶｏＩＰ網から着信を受けた場合には、固定電話側の回線切り替えの作業が完了していると考えられる。このとき、ＣＰＵ１６は、スイッチ回路１４を切り替えて電話機インタフェース１３をＷＡＮインタフェース１２側に接続する制御を行ってもよい。
【００４２】
図５は、本発明によるホームゲートウェイ装置の主要部を示すブロック図である。図５に示すように、ホームゲートウェイ装置１００は、電話機１１０（例えば、図１に示す電話機４０に相当）を、公衆電話回線網１２０（例えば、図１に示す公衆電話回線６０およびＰＳＴＮ（図示せず）に相当）とＶｏＩＰ網１３０（例えば、図１に示すインターネット回線５０およびＶｏＩＰ網（図示せず）に相当）とのいずれかを介して通話可能にするホームゲートウェイ装置であって、電話機１１０を公衆電話回線網１２０側とＶｏＩＰ網１３０側とのいずれかに接続する切り替え部１と、あらかじめ定められた特別番号をＶｏＩＰ網１３０を経由してＳＩＰサーバ１４０（例えば、図１に示すＳＩＰサーバ３０に相当）に発信し、ＳＩＰサーバ１４０から発信に対する応答を受信する特別番号通信部２とを備え、特別番号通信部２は、固定電話サービスで使用していた電話番号をＩＰ電話サービスで使用可能にする番号ポータビリティを導入する場合に、番号ポータビリティを導入するための処理が完了していることを示す応答をＳＩＰサーバ１４０から受信するまで定期的に特別番号を発信し、切り替え部１は、番号ポータビリティを導入するための処理が完了していることを示す応答を特別番号通信部２がＳＩＰサーバ１４０から受信した場合には、電話機１１０が公衆電話回線網１２０側に接続されている状態からＶｏＩＰ網１３０側に接続されている状態に切り替えるように構成されている。
【００４３】
また、上記の各実施形態では、以下の（１）〜（４）に示すようなホームゲートウェイ装置も開示されている。
【００４４】
（１）公衆電話回線網からの給電状況を検出する給電検出手段（例えば、第２の実施形態のホームゲートウェイ装置における給電検出手段に相当）を備え、特別番号通信部は、給電検出手段が、公衆電話回線網から給電されていた状態から給電が停止した状態になったと検出した場合に、特別番号を発信するホームゲートウェイ装置。
【００４５】
（２）特別番号通信部は、指定された時間帯に、番号ポータビリティを導入するための処理が完了していないことを示す応答を受信した場合には、その後の特別番号を再発信する間隔を短くするホームゲートウェイ装置（例えば、固定電話側の回線切り替えの作業完了予定のタイミングがあらかじめ分かっている場合に、再発信の間隔を通常の間隔よりも短くする動作によって実現される。）。
【００４６】
（３）切り替え部は、特別番号通信部が番号ポータビリティを導入するための処理が完了していることを示す応答を受信する前にＶｏＩＰ網から着信を受けた場合には、電話機が公衆電話回線網側に接続されている状態からＶｏＩＰ網側に接続されている状態に切り替えるホームゲートウェイ装置（例えば、第１または第２の実施形態のホームゲートウェイ装置１０において、固定電話側の回線切り替えの作業完了を判断する前にＷＡＮインタフェース１２がＶｏＩＰ網から着信を受けた場合に、ＣＰＵ１６が、スイッチ回路１４を切り替えて電話機インタフェース１３をＷＡＮインタフェース１２側に接続することによって実現される。）。
【００４７】
（４）特別番号通信部は、外部からの指令に応じて、直ちに特別番号を発信するホームゲートウェイ装置（例えば、第１または第２の実施形態のホームゲートウェイ装置１０が、特別番号の発信を強制的に行う特別番号発信手段を有し、所定のボタン押下などによって、特別番号発信手段が特別番号を即時に特別番号を発信することによって実現される。）。
【符号の説明】
【００４８】
１    切り替え部
２    特別番号通信部
１０  ホームゲートウェイ装置
１１  電話回線インタフェース
１２  ＷＡＮインタフェース
１３  電話機インタフェース
１４  スイッチ回路
１５  音声コーデック
１６  ＣＰＵ
２０  番号ポータビリティ管理データベース
３０  ＳＩＰサーバ
４０  電話機
５０  インターネット回線
６０  公衆電話回線
１００  ホームゲートウェイ装置
１１０  電話機
１２０  公衆電話回線網
１３０  ＶｏＩＰ網
１４０  ＳＩＰサーバ
【図１】
2011030156.tif 000003
【図２】
2011030156.tif 000004
【図３】
2011030156.tif 000005
【図４】
2011030156.tif 000006
【図５】
2011030156.tif 000007